Podtech/llm-jp-corpus-v4-ja_patent huggingface dataset:
【手続補正書】
【提出日】平成19年8月7日(2007.8.7)
【手続補正１】
【補正対象書類名】明細書
【補正対象項目名】特許請求の範囲
【補正方法】変更
【補正の内容】
【特許請求の範囲】
【請求項１】  一方の端部と１つの無菌領域(201)に接続された他方の端部を覆う膜装置(203)を有するオス型コネクタと、一方の端部と１つの無菌領域(101)に接続された他方の端部を覆う膜装置(103)とを有するメス型コネクタとを含む無菌継手であって、
各膜装置が、外部表面と内部表面を有し、各膜装置の内部表面が、各膜装置の無菌領域(101,201)と１つの破断装置(109)に面し、
以下の点すなわち、
前記膜装置の外部表面は、接着剤(104,204)を有しているので、２つのコネクタが接続されるとき、前記接着剤が、前記両膜装置の間に接着膜表面を形成し、
前記膜装置(103,203)の少なくとも一つが、使用前または両コネクタが接続されるときに引き伸ばされ、
前記メスコネクタには、前記破断装置(109)が配置され、前記破断装置が、前記メスコネクタ内部において接着膜表面を破断して前記無菌継手を構成する点を特徴とする無菌継手。
【請求項２】  前記膜装置(103,203)がカップ形状を有する点を特徴とする請求項１記載の無菌継手。
【請求項３】  前記オス型とメス型のコネクタの各々が円筒状の本体（102,202）を有して協働する間にそれらの間で空間を形成し、破断の後に前記空間が膜装置を収容する点を特徴とする請求項１または２記載の無菌継手。
【請求項４】  前記膜表面が破断を誘導するために弱くなったライン(106)を含む点を特徴とする請求項１〜３のいずれか１記載の無菌継手。
【請求項５】  オス型コネクタの膜装置(203)が使用前に予め引き伸ばされる点を特徴とする請求項１〜４のいずれか１記載の無菌継手。
【請求項６】  接着層(104,204)が使用前にテープ(110,210)によって覆われており、使用の直前にそれが取り去られる点を特徴とする請求項１〜５のいずれか１記載の無菌継手。
【請求項７】  ２つのコネクタが、膜装置の破断の後にそれらを相互接続するための係合手段(119,219)を有する点を特徴とする請求項１〜６のいずれか１記載の無菌継手。
【請求項８】  膜装置の一方または両方が、接着前に接着領域から余分な空気を追い出すためのミゾを有する点を特徴とする、請求項１〜７のいずれか１記載の無菌継手。
【手続補正２】
【補正対象書類名】明細書
【補正対象項目名】００１１
【補正方法】変更
【補正の内容】
【００１１】
例えば、一方の端部と滅菌流体源に接続された他方の端部を覆う膜装置を有するオス型のコネクタと、一方の端部と滅菌流体源に接続された他方の端部を覆う膜装置を有するメス型のコネクタとを含む無菌継手が提供される。各々の膜装置は、外部表面と内部表面とを有し、各膜装置の内部表面は、それぞれの膜装置の無菌領域に面している。この継手はまた、破断装置を備えている。本発明によると、膜装置の外部表面は、接着材料を含むので、２つのコネクタが連結されると、接着材料が前記両膜装置の間に接着された膜表面を形成する。膜装置の少なくとも１つは、使用前に、または、両コネクタが接続されるときに引き伸ばされる。メスコネクタは、破壊装置が配置されており、メスコネクタの内側の接着された膜表面を破壊して無菌継手を形成する。
【手続補正３】
【補正対象書類名】明細書
【補正対象項目名】００２７
【補正方法】変更
【補正の内容】
【００２７】
メス型膜装置１０３は図４から７にさらに詳しく示されている。この膜装置はメス型コネクタのミゾ１０８と密閉して協働するように意図された肩部分１０７を有する。さらに、この膜装置はハウジング１０２の実質的に全断面積を覆う実質的に円形の膜１０５を有し、図２では第１の端部に関していくらか左にずれている。したがって、この膜装置はほぼカップの形状を有し、そのカップの外側が１つの無菌領域１０１に面している。
【手続補正４】
【補正対象書類名】明細書
【補正対象項目名】００３０
【補正方法】変更
【補正の内容】
【００３０】
オス型膜装置２０３は図８から１０にさらに詳細に示されている。この膜装置はカップ形状を有しており、カップの内側は１つの無菌領域２０１に面している。カップの円形表面である平坦な底部は膜２０５を有し、それは非無菌表面でメス型膜装置の接着層１０４に匹敵する接着層２０４で覆われている。この接着層は使用するまで接着剤の粘着性を維持するために配置されたテープ２１０によって覆われる。テープ２１０は、使用時に簡単にテープを取り去るためにフラップ２１１を有する。
【手続補正５】
【補正対象書類名】明細書
【補正対象項目名】００３３
【補正方法】変更
【補正の内容】
【００３３】
最後に、組み立てられた膜装置とスリーブは、図３に示したように、オス型コネクタの第１の端部の上を組み立て体を通過させることによってオス型コネクタに取り付けられる。この膜装置は弾性材料で作製されており、それによって図３で、スリーブ２１２の肩２１５がオス型コネクタのリング形状ミゾ２１６と協働するまでスリーブを右に押すことができる。この方式で、膜装置はオス型コネクタに取り付けられ、その弾性材料は引き伸ばされるかまたは張力印加される。組み立て体全体はチューブまたはバッグに取り付けられ、それと一緒に無菌化される。
【手続補正書】
【提出日】平成19年4月17日(2007.4.17)
【手続補正１】
【補正対象書類名】明細書
【補正対象項目名】特許請求の範囲
【補正方法】変更
【補正の内容】
【特許請求の範囲】
【請求項１】  培地と１つ又は複数の卵母細胞及び精子とを導入し、次いで回収用カテーテルにより１つ又は複数の胚を回収するための開口部と、容器ボディ開口部を選択的に開閉する再シール可能な閉止手段とを有する容器ボディを含む受精及び培養容器であり、
該容器ボディが、前記培地、卵母細胞及び精子を収容するための主チャンバーと、１つ又は複数の胚を回収するために集めるための極小チャンバーとを有する。
【請求項２】  前記容器ボディが、前記極小チャンバーに対する回収用カテーテル又はピペットの進入を制限する手段を有する請求項１に記載の受精及び培養容器。
【請求項３】  回収用カテーテル又はピペットの進入を制限する前記手段が、前記主チャンバーを通る前記極小チャンバーの入口ポートにより画成され、これによって該極小チャンバー内への進入を制限する請求項２に記載の受精及び培養容器。
【請求項４】  カテーテル又はピペットが完全に前記容器ボディ内に挿入された位置でカテーテル又はピペットの先端が前記極小チャンバーの前端壁から離間するように、回収用カテーテルの進入を制限する前記手段を、前記主チャンバーから該極小チャンバー内に延長する通路により画成し、また回収用カテーテル又はピペットの先端部に対して相補的な形状にする請求項２又は３に記載の受精及び培養容器。
【請求項５】  前記極小チャンバーを画成する前記容器ボディの側壁の少なくとも一部分が、透明で胚の顕微鏡検査用の光学的特性のものである請求項１から４までの何れかに記載の受精及び培養容器。
【請求項６】  前記容器ボディが、前記通路から横方向に延長し、平行に対向する光学的特性の透明な側壁を有する請求項４及び５に記載の受精及び培養容器。
【請求項７】  前記極小チャンバーの体積が約１００μｌより小さい請求項１から６までの何れかに記載の受精及び培養容器。
【請求項８】  前記極小チャンバーの体積が約２５ないし約７０μｌである請求項１から７までの何れかに記載の受精及び培養容器。
【請求項９】  平行に対向する前記側壁間で測定した前記極小チャンバーの幅が約０.３ないし約０.８ｍｍである請求項４から８までの何れかに記載の受精及び培養容器。
【請求項１０】  前記カテーテル通路の前部の平均直径が約２ないし約３ｍｍである請求項９に記載の受精及び培養容器。
【請求項１１】  前記容器の前記開口部が、卵母細胞又は精子を注入するために、カテーテル又はピペットの端部を前記主チャンバーに対して前記再シール可能な閉止手段の前方に位置付けする手段を有する請求項１から１０までの何れかに記載の受精及び培養容器。
【請求項１２】  膣内使用のために更に、前記容器を包む柔かで可撓性の少なくとも２つの部分からなるカプセルを有し、該２つの部分は、該容器の両端から滑らせてこれを覆うようになっていて、また該容器をシールするために重なり合う自由端縁を有する請求項１から１１までの何れかに記載の受精及び培養容器。
【請求項１３】  請求項１２に記載の受精及び培養容器アセンブリであって、変形可能な緩衝手段が、前記カプセルの端部に近接して配設され、該容器アセンブリが後膣円蓋内に挿入される時、該アセンブリの縦方向の寸法を後膣円蓋の弦の寸法に適合させるようになっている。
【請求項１４】  培地を通すために前記主チャンバーと前記極小チャンバーとの間に自由アクセス・ゾーンが画成され、受精後、１つ又は複数の胚が培地内に現れるようになっている請求項１から１３までの何れかに記載の受精及び培養容器。
【請求項１５】  卵母細胞の受精、培養及び胚回収用容器であって、更に併用するために、前記極小チャンバーから培地内の１つ又は複数の胚を回収する手段を有し、該極小チャンバーは、回収の前及び／又は回収中にこの内部にある１つ又は複数の胚を見るための１つ又は複数の透明ゾーンを有する請求項１から１４までの何れかに記載の卵母細胞の受精、培養及び胚回収用容器。
【請求項１６】  培地と１つ又は複数の卵母細胞及び精子とを導入し、次いで回収用カテーテルにより１つ又は複数の胚を回収するための開口部と、その開口部を選択的に開閉する再シール可能な閉止手段と、前記培地、卵母細胞及び精子を収容するための主チャンバーと、１つ又は複数の胚を回収して集めるための極小チャンバーとを有する容器ボディを備えた受精及び培養容器の使用方法であって、
該容器に培地を充填して、１つ又は複数の卵母細胞と精子を培地に導入した後、該開口部を閉じ、
卵母細胞の受精と培養のために閉じた該容器を保温して、
得られた１つ又は複数の胚を該極小チャンバーに移動させ、
カテーテル又はピペットで１つ又は複数の胚を該極小チャンバーから回収する、
受精及び培養方法。
【請求項１７】  更に、回収の前及び／又は回収中に前記極小チャンバー内にある１つ又は複数の胚を顕微鏡で検査するステップを有する請求項１６に記載の受精及び培養方法。
【請求項１８】  得られた１つ又は複数の胚の移動を促進するために、前記容器を前記極小チャンバーが前記主チャンバーの下方に位置するように配向する請求項１６又は１７に記載の受精及び培養方法。
【請求項１９】  膣内用に更に、膣内培養に先立って前記容器を柔かな可撓性のカプセルに包むステップを有する請求項１６又は１７又は１８に記載の受精及び培養方法。
【請求項２０】  膣内用に更に、前記容器の後膣円蓋からの回収を容易にするために前記カプセルに紐を取付けるステップを有する請求項１６から１９までの何れかに記載の受精及び培養方法。
【請求項２１】  更に、前記極小チャンバー内へのカテーテル又はピペットの進入を制限し、カテーテル又はピペットによる回収前に、前記容器を前記主チャンバーが該極小チャンバーの上方に位置するように配向するステップを有する請求項１７に記載の受精及び培養方法。
【請求項２２】  更に、カテーテルの自由端部と前記極小チャンバーの前端壁との間に少なくとも５つの胚を収容するように、該極小チャンバー内の通路又はその近傍内へのカテーテル又はピペットの自由端部の進入を制限するステップを有する請求項１６から２１までの何れかに記載の受精及び培養方法。
【請求項２３】  膣内用に更に、前記容器の前記再シール可能な閉止手段の上流にアクセス通路を設け、該容器をカプセルで包むことにより該アクセス通路をシールして塞ぐステップを有する請求項１６に記載の受精及び培養方法。
【手続補正書】
【提出日】平成19年1月23日(2007.1.23)
【手続補正１】
【補正対象書類名】明細書
【補正対象項目名】特許請求の範囲
【補正方法】変更
【補正の内容】
【特許請求の範囲】
【請求項１】  有水晶体眼の前眼房に配置するための正度数前眼房内インプラントであって、人工正屈折レンズ（４）と二つの触子（２，３）とを含み、Ｓ字形において各々が、眼の前眼房にレンズを配置するための４点取り付け（２０）を有し、正屈折レンズと解剖学的レンズ（９）、虹彩（１１）及び角膜内皮（１０）との接触が回避され、触子が虹彩と角膜内皮との接触を回避するものであり、
正屈折レンズが二つの凸状表面（５，６）を有し、各触子がレンズへの入口（１３，１４）でレンズに対して垂直であり、触子が人工レンズを眼の前眼房の中で０．８mm〜１．２mmのボールト（１７）で１．３mm〜１．７５mmのサジタ値で吊り下げることを特徴とする正度数前眼房内インプラント。
【請求項２】  インプラントが、ヘパリン、ヘパリン硫酸、コンドロイチン硫酸、デルマタン硫酸、キトサン硫酸、キシラン硫酸、デキストラン硫酸及び硫酸化ヒアルロン酸からなる群より選択される硫酸化多糖薬剤で被覆されている、請求項１記載の正度数前眼房内インプラント。
【請求項３】  人工屈折レンズが、ポリメチルメタクリレート、メタクリレート、ポリ−２−ヒドロキシエチルメタクリレート、メチルメタクリレートコポリマー、シロキサニルアルキル、フルオロアルキル及びアリールメタクリレート、シリコーン、シリコーンエラストマー、ポリスルホン、ポリビニルアルコール、ポリエチレンオキシド、フルオロアクリレートとメタクリレートとのコポリマー、ヒドロキシアルキルメタクリレート、メタクリル酸、アクリル酸、アクリルアミド、メタクリルアミド、Ｎ，Ｎ−ジメチルアクリルアミド及びＮ−ビニルピロリドンのポリマー及びコポリマーからなる群より選択される化合物から製造される、請求項１又は２記載の正度数前眼房内インプラント。
【請求項４】  屈折レンズが可撓性である、請求項１〜３のいずれか１項記載の正度数前眼房内インプラント。
【請求項５】  屈折レンズが剛性である、請求項１〜３のいずれか１項記載の正度数前眼房内インプラント。
【手続補正書】
【提出日】平成19年3月6日(2007.3.6)
【手続補正１】
【補正対象書類名】明細書
【補正対象項目名】特許請求の範囲
【補正方法】変更
【補正の内容】
【特許請求の範囲】
【請求項1】
可膨張性空洞を有し、かつ隣接椎骨の端板間に位置するように配置されている、生体適合性材料からなる弾性要素と、前記可膨張性空洞を越えて前記弾性要素の表面に搬送され、イン・サイチューで人工線維輪を前記弾性要素の周囲に巻着できるように動作可能に構成されているコイル装置とを含む脊椎手術用インプラント。
【請求項2】
台座要素が、前記弾性要素に設けられた陥凹部に収容され、前記台座要素が、概ね円形の内側陥凹部を画定し、前記内側陥凹部が軸受レースを画定し、前記軸受レース内に複数のボールを保持し、従って軸受を画定する請求項1に記載のインプラント。
【請求項3】
前記台座要素が、前記台座要素に設けられた前記陥凹部に対応する外側陥凹部を画定し、さらに前記弾性要素の表面に載る外側フランジを画定する請求項2に記載のインプラント。
【請求項4】
円形スプロケットが、前記軸受レース内の前記ボールと軸受関係となるように前記台座要素の前記外側陥凹部内に回転可能な状態で収容される請求項3に記載のインプラント。
【請求項5】
前記円形スプロケットが、下側軸受レースを画定する円形陥凹部と、有歯駆動ベルトと係合する内側外向き歯円形配列部と、夫々に横陥凹部を設けてある外側外向き歯円形配列部と
を含むインプラントであって、前記外側外向き歯円形配列部が、前記配列部に対応する形状に構成されて前記配列部に巻着される直立型椎間板置換コイルと駆動係合する請求項4に記載のインプラント。
【請求項6】
前記スプロケットが、上側軸受レースを画定する円形陥凹部を含み、前記円形陥凹部が内部に複数のボールを保持し、従って軸受を画定する請求項5に記載のインプラント。
【請求項7】
可膨張性空洞を有し、かつ隣接椎骨の端板間に位置するように配置されている、生体適合性材料からなる弾性要素と、前記可膨張性空洞を越えて前記弾性要素の表面に搬送され、イン・サイチューでバンドを前記弾性要素の周囲に巻着できるように動作可能に構成されているコイル装置と、前記弾性要素の前記可膨張空洞に結合されている双方向性膨張弁とを含む脊椎手術用のインプラント。
【請求項8】
可膨張性空洞を有し、かつ隣接椎骨の端板間に位置するように配置されている、生体適合性材料からなる弾性要素と、前記可膨張性空洞を越えて前記弾性要素の表面に搬送され、イン・サイチューでバンドを前記弾性要素の周囲に巻着できるように動作可能に構成されているコイル装置と、前記弾性要素の前記可膨張空洞に結合されており、前記コイル装置とは区別して、かつ離隔して設けられている双方向性膨張弁とを含む脊椎手術用のインプラント。
【手続補正書】
【提出日】平成19年3月16日(2007.3.16)
【手続補正１】
【補正対象書類名】明細書
【補正対象項目名】請求項２９
【補正方法】変更
【補正の内容】
【請求項２９】  アルコールまたはエーテル、特にグリコールエーテルなどの極性溶剤内に分散された顔料またはその溶剤内に溶解した着色剤は、前記タンク内の物質に添加されることを特徴とする請求項２２ないし２８のいずれかに記載の装置。
【手続補正２】
【補正対象書類名】明細書
【補正対象項目名】請求項３０
【補正方法】変更
【補正の内容】
【請求項３０】  ホワイトスピリットなどの無極性溶剤に分散された顔料またはその溶剤内に溶解した着色剤は、前記タンク内の物質に添加されることを特徴とする請求項２２ないし２８のいずれかに記載の装置。
【手続補正書】
【提出日】平成19年10月19日(2007.10.19)
【手続補正１】
【補正対象書類名】明細書
【補正対象項目名】特許請求の範囲
【補正方法】変更
【補正の内容】
【特許請求の範囲】
【請求項１】  消毒液６の表面積および空気暴露を最小限に抑えた消毒液６で内視鏡４を消毒するための内視鏡消毒装置１０であって、
内視鏡４の空気／水および光チューブを消毒する消毒深皿１３と、
前記消毒深皿１３に連結されて、内視鏡４の本体および接眼部を消毒する内視鏡本体部分１２と、
前記内視鏡本体部分１２に連結されて、内視鏡４の挿入チューブを消毒する挿入チューブ部分１１と、
前記消毒深皿１３の上を覆って液密シールを行う深皿蓋体１４とを備え、
前記消毒深皿は、前記内視鏡本体部分１２の側部に連結されたパウチであることを特徴とする内視鏡消毒装置。
【請求項２】  前記内視鏡消毒装置１０は、グルタルアルデヒドの消毒液６を収納するように構成されていることを特徴とする請求項１に記載の装置。
【請求項３】  前記挿入チューブ部分１１は、長さが２．５４ｃｍ〜１５２．４ｃｍであり、直径が０．６３５ｃｍ〜１５．２４ｃｍであることを特徴とする請求項１に記載の装置。
【請求項４】  前記内視鏡本体部分１２は、直径が０．６３５ｃｍ〜１５．２４ｃｍ）であり、長さが５．０８ｃｍ〜２５．４ｃｍであることを特徴とする請求項１に記載の装置。
【請求項５】  前記消毒深皿１３は、直径が１０．１６ｃｍ〜２５．４ｃｍであり、深さが５．０８ｃｍ〜２５．４ｃｍであることを特徴とする請求項１に記載の装置。
【請求項６】  前記内視鏡消毒装置１０は、さらに、ドレン１５と、前記内視鏡消毒装置１０をぶら下げるために前記内視鏡消毒装置１０を受けるように構成された取り付けブラケット１６とを備えていることを特徴とする請求項１に記載の装置。
【請求項７】  消毒液６の表面積および空気暴露を最小限に抑えた消毒液６で内視鏡４を消毒するための内視鏡消毒装置１０であって、
内視鏡４の空気／水および光チューブを消毒する消毒深皿１３と、
前記消毒深皿１３に連結されて、内視鏡４の本体および接眼部を消毒する内視鏡本体部分１２と、
前記内視鏡本体部分１２に連結されて、内視鏡４の挿入チューブを消毒する挿入チューブ部分１１と、
前記消毒深皿１３の上を覆って液密シールを行う深皿蓋体１４とを備え、
前記消毒深皿は、前記内視鏡本体部分１２の側部に連結された貯留部であることを特徴とする内視鏡消毒装置。
【請求項８】  前記消毒深皿は、長さが３０．４８ｃｍ〜７６．２ｃｍであることを特徴とする請求項７に記載の装置。
【請求項９】  消毒液の表面積および空気暴露を最小限に抑えた消毒液で内視鏡を消毒するための内視鏡消毒装置であって、
内視鏡の空気／水および光チューブを消毒する消毒深皿と、
前記消毒深皿に連結されて、内視鏡の本体および接眼部を消毒する内視鏡本体部分と、
前記内視鏡本体部分に連結されて、内視鏡の挿入チューブを消毒する挿入チューブ部分と、
前記挿入チューブ部分は、コイル状であり、
前記消毒深皿の上を覆って液密シールを行う深皿蓋体とを備えていることを特徴とする内視鏡消毒装置。
【請求項１０】  前記消毒深皿は、湾曲していることを特徴とする請求項９に記載の装置。
【請求項１１】  前記内視鏡消毒装置は、さらに、前記内視鏡消毒装置を面上に支持するための支持体を備えていることを特徴とする請求項１０に記載の装置。
【請求項１２】  前記挿入チューブ部分は、１／２巻〜５巻のコイル状であることを特徴とする請求項９に記載の装置。
【手続補正書】
【提出日】平成19年10月1日(2007.10.1)
【手続補正１】
【補正対象書類名】明細書
【補正対象項目名】特許請求の範囲
【補正方法】変更
【補正の内容】
【特許請求の範囲】
【請求項１】
オーバーモールドモータベアリングを製造するための方法であって、
外部レースと、内部レースと、該外部レースと該内部レースとの間に捕捉される複数のボールとを有するボールベアリングサブアセンブリを提供するステップと、
射出成形機のモールドに該ボールベアリングサブアセンブリを配置するステップと、
内径表面と外径表面とを有する絶縁座金を、該絶縁座金の内径表面が該ベアリングサブアセンブリの側面に沿って該内部レースに向かって延びるように、該ベアリングサブアセンブリの該外部レースに隣接して位置付けるステップと、
該モールドに絶縁材料を注入し、それにより、絶縁スリーブが該外部レースと該絶縁座金の該外径表面の一部とを包み、その結果、該絶縁スリーブは、該絶縁座金を該ベアリングサブアセンブリの該外部レースに接して固定するが、該絶縁座金の該外径表面の残りの部分には延びないようにし、それにより、オーバーモールドモータベアリングを形成するステップと
を包含する、方法。
【請求項２】
前記絶縁座金は、前記外部レースの直径に実質的に等しい外径と、前記ベアリングサブアセンブリの前記内部レースにまで実質的に延びる動径寸法とを含む、請求項１に記載の方法。
【請求項３】
前記絶縁座金は、合成プラスチック材料製である、請求項１に記載の方法。
【請求項４】
電気モータを組み立てるための方法であって、
ボールベアリングサブアセンブリを射出成形機に配置するステップであって、該ボールベアリングサブアセンブリは、外部レースと、内部レースと、該外部レースと該内部レースとの間に捕捉される複数のボールとを有し、該内部レースは該電気モータのアーマチュアシャフトにはまるように適合される、ステップと、
内径表面と外径表面とを有する絶縁座金を、該絶縁座金の内径表面が該ベアリングサブアセンブリの側面に沿って該内部レースに向かって延びるように、該ベアリングサブアセンブリの該外部レースに隣接して位置付けるステップと、
該ボールベアリングサブアセンブリに絶縁スリーブを成形し、それにより、該絶縁スリーブが該外部レースと該絶縁座金の該外径表面の一部とを包み、その結果、該絶縁スリーブは、該絶縁座金を該ベアリングサブアセンブリの該外部レースに接して固定するが、該絶縁座金の該外径表面の残りの部分には延びないようにするステップと、
該ベアリングサブアセンブリの該内部レースを該電気モータの該アーマチュアシャフトにはめるステップと
を包含する、方法。
【請求項５】
前記絶縁座金は、前記外部レースの直径に実質的に等しい外径と、前記ベアリングサブアセンブリの前記内部レースにまで実質的に延びる動径寸法とを含む、請求項４に記載の方法。
【請求項６】
前記電気モータを電気動力ツールに配置するステップをさらに包含する、請求項４に記載の方法。
【請求項７】
前記絶縁座金は、合成プラスチック材料製である、請求項１に記載の方法。
【請求項８】
電気モータとともに使用されるオーバーモールドモータベアリングであって、
内部レースと、外部レースと、該外部レースと該内部レースとの間に捕捉される複数のボールとを有するボールベアリングサブアセンブリと、
該ベアリングサブアセンブリの外部レースに隣接して位置付けられる絶縁座金であって、該絶縁座金は、内径表面と外径表面とを有し、該絶縁座金の該内径表面は、該ベアリングサブアセンブリの側面に沿って該内部レースに向かって延びる、絶縁座金と、
該ボールベアリングサブアセンブリに一体的にオーバーモールドされる絶縁スリーブであって、該絶縁スリーブは、該外部レースと該絶縁座金の該外径表面の一部とを、該絶縁スリーブが、該絶縁座金を該ベアリングサブアセンブリの該外部レースに接して固定するが、該絶縁座金の該外径表面の残りの部分には延びないように、包む、絶縁スリーブと
を備える、モータベアリング。
【請求項９】
前記絶縁座金は、前記外部レースの直径に実質的に等しい外径と、前記ベアリングサブアセンブリの前記内部レースにまで実質的に延びる動径寸法とを含む、請求項８に記載のモータベアリング。
【請求項１０】
前記電気モータのアーマチュアシャフトにはめられていて、該電気モータが電気動力ツールに組み込まれている、請求項８に記載のモータベアリング。
【請求項１１】
前記絶縁座金は、合成プラスチック材料製である、請求項８に記載のオーバーモールドモータベアリング。
【手続補正書】
【提出日】平成19年10月22日(2007.10.22)
【手続補正１】
【補正対象書類名】明細書
【補正対象項目名】特許請求の範囲
【補正方法】変更
【補正の内容】
【特許請求の範囲】
【請求項１】  以下の段階を含む、分析物を検出する方法：
試料と、1つまたは複数の支持体に固定された複数の異なるヒト抗体とを接触させる段階であって、抗体が分析物に対して少なくとも108 M-1の親和性を有する段階、
少なくとも2つの分析物に対する少なくとも2つのヒト抗体の結合を検出して、試料中の分析物の存在および／または量を示す段階。
【請求項２】  分析物に対するヒト抗体の親和性が少なくとも1010 M-1である、請求項1記載の方法。
【請求項３】  試料と、溶液中のヒト抗体、固定化ヒト抗体、および同一の分析物の異なるエピトープに結合する溶液中のヒト抗体とさらに接触させ、且つ検出段階が分析物に対する固定化ヒト抗体および／または溶液中のヒト抗体の結合を検出する段階を含む、請求項1記載の方法。
【請求項４】  複数のヒト抗体が、試料中に存在する可能性を有する異なる分析物に対して特異的親和性を有する、少なくとも100個の異なる抗体を含む、請求項1記載の方法。
【請求項５】  異なる分析物に対する異なる抗体の特異的親和性が互いに10倍以内である、請求項4記載の方法。
【請求項６】  試料がヒト被験者に由来する試料である、請求項1記載の方法。
【請求項７】  試料がHAMAおよび／または異好性抗体を含む、請求項6記載の方法。
【請求項８】  異なる対応する分析物に対してそれぞれ少なくとも108 M-1の親和性を有し、異なるヒト抗体が1つまたは複数の支持体上で既知の異なる位置を占有する、複数のヒト抗体。
【請求項９】  異なる抗体が同じ支持体の既知の異なる位置を占有する、請求項8記載の複数のヒト抗体。
【請求項１０】  以下の段階を含む、ヒト以外の種に由来する抗体に特異的に結合するヒト抗体を含むヒト試料中において分析物を検出する方法：
試料とヒト抗体とを接触させる段階であって、ヒト抗体が、ヒト以外の種に由来する抗体に特異的に結合するヒト抗体に対して特異的に結合せずに、分析物に特異的に結合する段階、および
ヒト抗体と分析物との結合を検出して、分析物の存在を示す段階。
【請求項１１】  ヒト試料がヒト抗マウス抗体を含む、請求項10記載の方法。
【請求項１２】  ヒト試料が異好性抗体を含む、請求項10記載の方法。
【請求項１３】  試料と支持体に固定された第1のヒト抗体および溶液中の第2のヒト抗体とを接触させ、第1および第2のヒト抗体が分析物上の異なるエピトープに結合し、且つ検出段階が分析物に対する第1および／または第2のヒト抗体の結合を検出する段階を含む、請求項10記載の方法。
【請求項１４】  ヒト抗体が分析物に対して少なくとも1011 M-1の親和性を有する、請求項10記載の方法。
【請求項１５】  第1および第2のヒト抗体がそれぞれ、分析物上のそれぞれのエピトープに対して少なくとも109 M-1の親和性を有する、請求項10記載の方法。
【請求項１６】  以下の段階を含む、試料中の分析物を検出する方法：
試料と固相に固定された第1のヒト抗体および溶液中の第2のヒト抗体とを接触させる段階であって、分析物が試料中に存在する場合に、第1および第2の抗体が分析物の異なるエピトープに結合する段階、
第1および／または第2の抗体に対する分析物の結合を検出し、結合が試料中の分析物の存在を示す段階。
【請求項１７】  第1および第2のヒト抗体が分析物に対して少なくとも1011 M-1の親和性を有する、請求項16記載の方法。
【請求項１８】  第1および第2のヒト抗体が、ヒト免疫グロブリン遺伝子を発現するトランスジェニックマウスに由来する第1および第2のヒト抗体をコードする核酸をファージ提示ベクターにサブクローニングする段階、ならびに所望の結合特異性に対して第1および第2のヒト抗体を示すファージをスクリーニングする段階によって産生される、請求項16記載の方法。
【手続補正書】
【提出日】平成19年11月5日(2007.11.5)
【手続補正１】
【補正対象書類名】明細書
【補正対象項目名】特許請求の範囲
【補正方法】変更
【補正の内容】
【特許請求の範囲】
【請求項１】(１)生物学的試料を、正常プリオンタンパク質(PrP-sen)を完全に分解するが同時にどのような非通常伝達因子(UTA)株であっても異常プリオンタンパク質(PrP-res)のオクタペプチドモチーフ反復の全て又は幾らかを保存するように、少なくとも１つのプロテイナーゼＫで処理し；
(２)処理された試料を、オクタペプチドモチーフのリガンドと接触させ、
(３)オクタペプチドモチーフ反復/リガンド複合体の有無を検出する
ことからなることを特徴とする、生物学的試料におけるUTA株に関連したPrP-resの検出法。
【請求項２】(ａ)請求項１に記載の方法の工程(１)〜(３)により、生物学的試料の第一画分においてPrP-resを検出し、次いで：
(ｂ)工程(ａ)でオクタペプチドモチーフ反復/リガンド複合体の存在が検出された各試料について：
−  対象の少なくとも１つのUTA株、特にBSE株に関連したPrP-resについてはオクタペプチドモチーフ反復の大多数が除かれ、その他のUTA株に関連したPrP-resの全てはオクタペプチドモチーフ反復の全て又は幾らかを保存するように、少なくとも１つのプロテイナーゼＫで該試料の第二画分を処理し；
−  処理された試料の第二画分を、オクタペプチドモチーフ反復を特異的に認識しうるリガンドと接触させ、
−  オクタペプチドモチーフ反復/リガンド複合体の有無を検出することからなることを特徴とする、生物学的試料における種々のUTA株に関連したPrP-resの弁別検出法。
【請求項３】PrP-resの存在が検出されている各生物学的試料について、請求項２に記載の工程(ｂ)を実施し、
−  処理された試料の第二画分を、オクタペプチドモチーフ反復を特異的に認識し得るリガンドと接触させ、
−  オクタペプチドモチーフ反復/リガンド複合体の有無を検出することからなることを特徴とする、PrP-resを含むと考えられる生物学的試料における種々のUTA株に関連したPrP-resの弁別検出法。
【請求項４】  工程(１)、(ａ)又は(ｂ)によるプロテイナーゼＫでの処理が、80℃未満の温度で30秒〜２時間、好ましくは10〜30分行われることを特徴とする請求項１〜３のいずれか１つに記載の方法。
【請求項５】プロテイナーゼＫでの処理が、10%ホモジネートについて30〜200μg/ml濃度で37℃で10分、又は上記条件下30〜200μg/ml濃度と等価な期間及び濃度のいずれか、より好ましくは10%ホモジネートについて30〜200μg/mlの濃度で10分、又は10%ホモジネートについて10〜70μg/mlの濃度で30分のいずれかで行われることを特徴とする、請求項４に記載の方法。
【請求項６】プロテイナーゼＫが、生物学的試料のホモジネート化緩衝液と、少なくとも１つの界面活性剤及び/又は少なくとも１つのカオトロピック剤及び/又は少なくとも１つの塩のうちの少なくとも１つの剤を含む緩衝液とからなる群から選択される緩衝液に溶解されることを特徴とする、請求項１〜５のいずれか１つに記載の方法。
【請求項７】緩衝液が、好ましくは
ａ．−  アニオン性界面活性剤、例えばSDS(ドデシル硫酸ナトリウム)、サルコシル(ラウロイルサルコシン)、コール酸ナトリウム、デオキシコール酸ナトリウム又はタウロコール酸ナトリウム；
−  両性イオン性界面活性剤、例えばSB 3-10(デシルスルホベタイン)、SB 3-12(ドデシルスルホベタイン)、SB 3-14、SB 3-16(ヘキサデシルスルホベタイン)、CHAPS及びデオキシ-CHAPS；
−  ノニオン性界面活性剤、例えばC12E8(ドデシル-オクタエチレングリコール)、Triton X100、Triton X114、Tween 20、Tween 80、MEGA 9(ノナノイルメチルグルカミン)、オクチルグルコシド、LDAO(ドデシルジメチルアミンオキシド)又はNP40、又は
−  界面活性剤混合物、例えばイオン性界面活性剤とノニオン性界面活性剤の混合物、２つのイオン性界面活性剤の混合物又はイオン性界面活性剤と両性界面活性剤の混合物
からなる群から選択される、少なくとも１つの界面活性剤、及び/又は
ｂ．ウレア及びグアニジン、又はその混合物からなる群から選択される少なくとも１つのカオトロピック剤、及び/又は
ｃ．アルカリ金属であってもよく、又はそうでなくともよい金属塩から選択される少なくとも１つの塩
を含むことを特徴とする請求項６に記載の方法。
【請求項８】緩衝液が、少なくとも５％のアニオン性界面活性剤、好ましくは任意にSDSと組合わさったサルコシルからなることを特徴とする請求項７に記載の方法。
【請求項９】リガンドが、オクタペプチドモチーフ反復の領域に特異的に結合し得るアプタマー及び抗体からなる群から選択されることを特徴とする請求項１〜８のいずれか１つに記載の方法。
【請求項１０】工程(ｂ)の処理が、工程(１)又は(ａ)に規定された条件と同じ条件下で、但し工程(１)又は(ａ)で使用されるプロテイナーゼＫ濃度より高いプロテイナーゼＫ濃度で行われることを特徴とする請求項２、請求項４又は請求項５に記載の方法。
【請求項１１】上記の少なくとも１つの界面活性剤及び/又は少なくとも１つのカオトロピック剤及び/又は少なくとも１つの塩及びプロテアーゼの組合せからなることを特徴とする請求項１〜１０のいずれか１つに記載の方法を実施するための診断キット。
【手続補正書】
【提出日】平成19年7月6日(2007.7.6)
【手続補正１】
【補正対象書類名】明細書
【補正対象項目名】特許請求の範囲
【補正方法】変更
【補正の内容】
【特許請求の範囲】
【請求項１】  硬化したラテックス層を有する手袋を備える物品であって、該硬化したラテックス層は、連続気泡構造、および約３０％〜約６０％の範囲の空気含有量を有する、物品。
【請求項２】  前記硬化したラテックス層における空気含有量が、約４５％〜約５５％の範囲である、請求項１に記載の物品。
【請求項３】  前記硬化したラテックス層が、天然ラテックスポリマーおよび合成ラテックスポリマーを含有する、請求項１に記載の物品。
【請求項４】  前記合成ラテックスポリマーが、アクリルコポリマー、アクリルターポリマー、ポリウレタンポリマー、アクリルコポリマーとポリウレタンポリマーとのブレンド、アクリルターポリマーとポリウレタンポリマーとのブレンド、およびこれらの組み合わせからなる群より選択される、請求項３に記載の物品。
【請求項５】  前記合成ラテックスポリマーが、前記天然ラテックスポリマーと該合成ラテックスポリマーとの合計の、約２重量％〜約１０重量％の範囲の割合で存在する、請求項３に記載の物品。
【請求項６】  前記合成ラテックスポリマーが、約５％〜約６％の範囲で存在する、請求項５に記載の物品。
【請求項７】  １グラムのゴムあたり約５０マイクログラム未満の抽出可能なタンパク質レベルを有する、請求項１に記載の物品。
【請求項８】  １グラムのゴムあたり約３０マイクログラム未満の抽出可能なタンパク質レベルを有する、請求項７に記載の物品。
【請求項９】  物品であって、
硬化した発泡していないラテックス層を有する手袋；および
第二の硬化した発泡ラテックス層、
を備え；
該第二の硬化した発泡ラテックス層が、該硬化した発泡していないラテックス層に接着しており；そして
該硬化したラテックス層が、連続気泡構造および約３０％〜約６０％の範囲の空気含有量を有する、
物品。
【請求項１０】  前記硬化したラテックス層が、約４５％〜約５５％の範囲の空気含有量を有する、請求項９に記載の物品。
【請求項１１】  前記硬化した発泡ラテックス層が、天然ラテックスポリマーおよび合成ラテックスポリマーを含有する、請求項９に記載の物品。
【請求項１２】  前記合成ラテックスポリマーが、アクリルコポリマー、アクリルターポリマー、ポリウレタンポリマー、アクリルコポリマーとポリウレタンポリマーとのブレンド、アクリルターポリマーとポリウレタンポリマーとのブレンド、およびこれらの組み合わせからなる群より選択される、請求項１１に記載の物品。
【請求項１３】  前記合成ラテックスポリマーが、前記天然ラテックスポリマーと該合成ラテックスポリマーとの合計の、約２重量％〜約１０重量％の範囲の割合で存在する、請求項１１に記載の物品。
【請求項１４】  前記合成ラテックスポリマーが、約５％〜約６％の範囲で存在する、請求項１１に記載の物品。
【請求項１５】  １グラムのゴムあたり約５０マイクログラム未満の抽出可能なタンパク質レベルを有する、請求項９に記載の物品。
【請求項１６】  可撓性の発泡ポリマー材料で物品を製造するためのプロセスであって、該プロセスは、
浸漬型を凝固剤で処理する工程；
該処理された浸漬型を、安定化ラテックスフォーム混合物中に浸漬する工程であって、該安定化ラテックスフォーム混合物は、天然ラテックスポリマーおよび合成ラテックスポリマーを含有し、そして気泡を含み、該浸漬によって、該浸漬型上に、気泡を含む該混合物の層を形成する、工程；
該層を硬化させて該フォーム混合物をゲル化させ、架橋した連続気泡構造にする工程；ならびに
該層を該浸漬型から外す工程、
を包含し、該硬化する工程が制御され、これによって、該連続気泡構造を有する硬化した層が、実質的に固形物である穿孔ラテックスの１つ以上の表面フィルムを備える、プロセス。
【請求項１７】  前記処理された浸漬型をラテックスフォーム混合物に浸漬する工程の前に、以下の工程：
該処理された浸漬型を、発泡しないラテックス混合物中に浸漬して、発泡していないラテックス層を形成する工程；
該発泡していないラテックス層を浸出して、過剰の凝固剤およびタンパク質を除去する工程；ならびに
該発泡していないラテックス層を、強力な凝固剤で処理する工程；
をさらに包含して、複数のラテックス層を有する物品を形成する、請求項１６に記載のプロセス。
【請求項１８】  前記合成ラテックスポリマーが、アクリルコポリマー、アクリルターポリマー、ポリウレタンポリマー、アクリルコポリマーとポリウレタンポリマーとのブレンド、アクリルターポリマーとポリウレタンポリマーとのブレンド、およびこれらの組み合わせからなる群より選択される、請求項１６に記載のプロセス。
【請求項１９】  前記合成ラテックスポリマーが、前記天然ラテックスポリマーと該合成ラテックスポリマーとの合計の、約２％〜約１０％の範囲の割合で存在する、請求項１６に記載のプロセス。
【請求項２０】  前記発泡したラテックスフォーム混合物が、揺変性剤をさらに含有する、請求項１６に記載のプロセス。
【手続補正書】
【提出日】平成19年1月18日(2007.1.18)
【手続補正１】
【補正対象書類名】明細書
【補正対象項目名】特許請求の範囲
【補正方法】変更
【補正の内容】
【特許請求の範囲】
【請求項１】  分子コンピュータであって、
複数の入力および出力ピンをコンテインメントに取り付けるステップと、
モルウェアを前記コンテインメント中に注入するステップと、
前記モルウェアが前記コンテインメント内で配置を特定することなく自己アセンブルできるようにし、前記モルウェアが前記入力ピンと前記出力ピンとの間に様々なブリッジを形成するステップと、
前記出力ピンに電圧を印加するステップと、
前記出力ピンで電圧を測定するステップと、その後、
電圧が前記入力ピンに印加されたときに、前記コンピュータについての真理値表が構築されるまで、入力ピンと出力ピンとの関係を識別するステップとを含む方法によって作製される分子コンピュータ。
【請求項２】  前記モルウェアが、前記モルウェアを相互接続するための金属粒子、分子アリゲータクリップ支承２端子、３端子および４端子分子ワイヤ、分子共鳴トンネルダイオード、炭素ナノチューブ、分子スイッチ、分子抵抗器、分子コントローラ、分子コントローラまたはフラーレン混合から構成される分子ＤＲＡＭおよびＳＲＡＭ構成要素ならびにその組み合わせからなるグループから選択される請求項１に記載の分子コンピュータ。
【請求項３】  前記印加するステップが、前記電圧を前記入力ピンの組に印加することによって行われ、前記計測するステップが、前記出力ピンの組で電圧を計測することによって行われる請求項１に記載の分子コンピュータ。
【請求項４】  前記入力ピンと前記出力ピンとの間の前記モルウェアによって形成された前記ブリッジを修正するために、フィールドの勾配を前記コンテインメントにわたって印加するステップをさらに含む請求項１に記載の分子コンピュータ。
【請求項５】  前記入力ピンと前記出力ピンとの間の前記モルウェアによって形成されたブリッジを修正するために、モルウェアを電気化学的に誘導する相互接続ステップをさらに含む請求項１に記載の分子コンピュータ。
【請求項６】  前記入力ピンと前記出力ピンとの間の前記モルウェアによって形成された前記ブリッジの一部分を削除するステップをさらに含む請求項１に記載の分子コンピュータ。
【請求項７】  前記モルウェア構成要素の直径が、１０００ナノメートル未満である請求項１に記載の分子コンピュータ。
【請求項８】  前記注入ステップが、各種のモルウェアを別々に、かつ間を置いて行われる請求項２に記載の分子コンピュータ。
【請求項９】  前記モルウェアを注入する前に、前記コンテインメント内部に支持基盤を取り付けるステップをさらに含む請求項１に記載の分子コンピュータ。
【請求項１０】  前記出力ピンで所望の出力が達成されるまで、前記入力ピンに印加される前記電圧を変化させるステップをさらに含む請求項１に記載の分子コンピュータ。
【請求項１１】  前記モルウェアの一部分が、前記分子コンピュータ用のメモリ機能を実行するように適合された、分子制御要素で被覆された半導体粒子を含む請求項１に記載の分子コンピュータ。
【請求項１２】  前記識別するステップが、
コンピュータを前記入力ピンおよび前記出力ピンに接続するステップと、
前記関係を識別するために、前記コンピュータを使用するステップとをさらに含む請求項１に記載の分子コンピュータ。
【請求項１３】  前記分子コンピュータを、エラー回復ソフトウェアを使用してプログラムするステップをさらに含む請求項１に記載の分子コンピュータ。
【請求項１４】  前記モルウェアを注入する前に、溶液中で前記モルウェアを合成するステップをさらに含む請求項１に記載の分子コンピュータ。
【請求項１５】  前記分子ワイヤが、オリゴ（フェニレンエチニレン）のグループから選択される材料から構築される請求項２に記載の分子コンピュータ。
【請求項１６】  前記分子ワイヤが、チオール、プレーナ・オリゴマ・セグメントもしくは炭素ナノチューブまたはそれらの組から選択された材料でできた端子を有する請求項１５に記載の分子コンピュータ。
【請求項１７】  前記分子ワイヤが、炭素ナノチューブ、プレーナ・ポリフェニレン、ポリピリジン、ポリピラジンおよびポリチオフェンからなるグループから選択される請求項１５に記載の分子コンピュータ。
【請求項１８】  前記粒子が、金、銀、パラジウム、白金およびそれらの合金から選択される材料で作製されている請求項２に記載の分子コンピュータ。
【請求項１９】  前記溶液が、非水溶液である請求項１に記載の分子コンピュータ。
【請求項２０】  前記粒子が二官能分子ワイヤで覆われている請求項１８に記載の分子コンピュータ。
【請求項２１】  前記分子スイッチが、その表面上にコントローラ分子を有する半導体粒子およびフラーレンからなるグループから選択される請求項２に記載の分子コンピュータ。
【請求項２２】  前記半導体粒子が、ＣｄＳおよびＣｄＳｅからなるグループから選択される請求項２１に記載の分子コンピュータ。
【請求項２３】  前記分子抵抗器が、金属粒子への接続に適合した絶縁性酸化物で作製されている請求項２に記載の分子コンピュータ。
【請求項２４】  前記絶縁性酸化物がＡｌ２Ｏ３、ＴｉＯ２およびＳｉＯ２からなるグループから選択される請求項２３に記載の分子コンピュータ。
【請求項２５】  前記アリゲータクリップが、金属面に結合した遷移金属で作製されている請求項２に記載の分子コンピュータ。
【請求項２６】  前記分子コントローラそれぞれが、印加された電磁場の存在下で安定する両性イオン形を有する請求項２に記載の分子コンピュータ。
【請求項２７】  前記分子コントローラが、ビフェニルニトロアミンである請求項２６に記載の分子コンピュータ。
【請求項２８】  前記溶液が有機溶媒である請求項１に記載の分子コンピュータ。
【請求項２９】  前記モルウェアを、前記モルウェアの相互の相互接続親和性を増加させるように適合させるステップをさらに含む請求項１に記載の分子コンピュータ。
【請求項３０】  適合させるステップが、キャッピング、官能化、活性化およびそれらの組み合わせからなるグループから選択される請求項２９に記載の分子コンピュータ。
【請求項３１】  入力から出力にデータを転送する方法であって、
入力と出力との間に、分子の配置を特定することなく、自己アセンブルする分子で構成される様々な分子ブリッジを確立するステップであって、前記分子が前記入力に接続される第１分子を含むステップ、第１分子の分子静電位を修正するのに十分な電圧を前記入力に印加するステップを含む方法。
【請求項３２】  前記モルウェアを、前記モルウェアの相互の相互接続親和性を増加させるように適合させるステップをさらに含む請求項３１に記載の方法。
【請求項３３】  適合させるステップが、キャッピング、官能化、活性化およびそれらの組み合わせからなるグループから選択される請求項３２に記載の方法。
【手続補正書】
【提出日】平成19年3月19日(2007.3.19)
【手続補正１】
【補正対象書類名】明細書
【補正対象項目名】請求項１
【補正方法】変更
【補正の内容】
【請求項１】  光ファイバを通じたレーザ通信を行う前補償回路であって、
情報通信用の電気信号を発生させる信号入力手段と、
前記電気信号を光信号に変換するために前記電気信号を用いてレーザビームを変調する前に、前記電気信号を電気的に変形し、前記レーザビームと前記光ファイバとの間の相互作用が原因の前記光信号の光ファイバの伝送に起因する奇数次の歪みを補償するインライン前補償手段と、
変形した電気信号を、前記レーザビームを変調する手段に供給する信号出力手段とを具えることを特徴とする前補償回路。
【手続補正書】
【提出日】平成19年2月28日(2007.2.28)
【手続補正１】
【補正対象書類名】明細書
【補正対象項目名】特許請求の範囲
【補正方法】変更
【補正の内容】
【特許請求の範囲】
【請求項１】  疎水性修飾されたヒドロキシエチルセルロース、疎水性修飾されたメチルヒドロキシエチルセルロースおよび疎水性修飾されたエチルヒドロキシエチルセルロースからなる群から選択される疎水性修飾されたセルロース誘導体であって、該疎水性修飾されたセルロース誘導体のセルロース骨格の分子量(置換を含まない)Ｍwが５０００〜５００００であり、ヒドロキシエチルＭＳが２.５〜５.０であり、疎水性基がＣ10-Ｃ20アルキル単独またはＣ1-Ｃ6アルキルとの混合物であり、Ｃ10-Ｃ20アルキル置換の量が０.３〜６.０重量％であり、
１.５重量％以下の該疎水性修飾されたセルロース誘導体を含有する少なくとも９のレネタレベリングを有するスチレン／アクリルをベースとする半光沢ペイントが、少なくとも１２０mＰasのＩＣＩ粘度を有するように、該疎水性修飾されたセルロース誘導体の分子量ならびに疎水性基置換の種類および量を選択することを特徴とする疎水性修飾されたセルロース誘導体。
【請求項２】  疎水性修飾されたセルロース誘導体が疎水性修飾されたヒドロキシエチルセルロースであり、ヒドロキシエチルＭＳが２.５〜５.０であり、疎水性基置換が０.３〜１.０重量％の量で存在するＣ16アルキル置換であり、分子量(置換を含まない)Ｍwが２１０００〜４６０００である、請求項１に記載の疎水性修飾されたセルロース誘導体。
【請求項３】  疎水性修飾されたセルロース誘導体が疎水性修飾されたヒドロキシエチルセルロースであり、ヒドロキシエチルＭＳが３.５〜４.１であり、疎水性基置換が２.５〜６.０重量％の量で存在するＣ12アルキル置換であり、分子量(置換を含まない)Ｍwが１２０００〜２４０００である、請求項１に記載の疎水性修飾されたセルロース誘導体。
【請求項４】  疎水性修飾されたセルロース誘導体が疎水性修飾されたヒドロキシエチルセルロースであり、ヒドロキシエチルＭＳが３.０〜４.０であり、疎水性基置換が混合Ｃ4およびＣ12アルキル置換であり、Ｃ4アルキル置換が０.０５〜０.１０重量％であり、Ｃ12アルキル置換が３.５〜５.５重量％であり、分子量(置換を含まない)Ｍwが１００００〜２００００である、請求項１に記載の疎水性修飾されたセルロース誘導体。
【請求項５】  会合性増粘剤として、請求項１〜４のいずれかに記載の疎水性修飾されたセルロース誘導体を含有する水性保護被覆組成物。
【請求項６】  少なくとも１つの別の会合性増粘剤をさらに含有する請求項５に記載の水性保護被覆組成物。
【請求項７】  追加の会合性増粘剤が、疎水性修飾されたポリエチレングリコールまたは会合性ポリウレタン増粘剤である請求項６に記載の水性保護被覆組成物。
【請求項８】  水性保護被覆組成物が、半光沢ペイント、高光沢ペイントまたは淡黄色ペイントである請求項５〜７のいずれかに記載の水性保護被覆組成物。
【請求項９】  被覆組成物が、アクリルラテックス、スチレン-アクリルラテックスまたはフェニル-アクリルラテックスをベースとする請求項５〜８のいずれかに記載の水性保護被覆組成物。
【請求項１０】  水性保護被覆組成物の製造のための、請求項１〜４のいずれかに記載の会合性増粘剤の使用。
【請求項１１】  請求項５〜９のいずれかに記載の水性保護被覆組成物によって被覆された生成物。